(57)【要約】【課題】伝送データに含まれうるユニークワードを正確に識別する。【解決手段】相関検出部３６は、複数のユニークワードＡ〜Ｎのいずれかを含む受信データと、情報伝送レートＡ〜Ｎそれぞれに固有のユニークワードＡ〜Ｎそれぞれの相関値Ａ〜Ｎを算出する。ユニークワードＡ〜Ｎそれぞれについては、閾値Ａ〜Ｎが設定され、方式識別部３４２は、相関値ｉ（ｉはＡ〜Ｎのいずれか）が、閾値ｉを超えている場合には、ユニークワードｉが受信データに含まれていると識別し、受信データがユニークワードｉに対応する情報伝送レートｉにより生成されたことを示す方式種別データを出力する。閾値変更部３８０は、ユニークワードが識別されると、閾値ｉの値を小さく、それ以外の閾値の値を大きくする変更を行う。【選択図】          図８
2004274536.tif 000002
【特許請求の範囲】
【請求項１】
符号識別の対象となる対象データに含まれ、それぞれ固有の値をとる複数の符号のいずれかを検出する符号識別装置であって、
前記複数の符号それぞれと、前記対象データとの相関を示す複数の相関値を算出する相関値算出手段と、
前記算出された複数の相関値と、前記複数の符号それぞれに対して設定され、前記複数の符号それぞれを含む前記複数の対象データそれぞれから算出される複数の相関値がとるべき値の範囲を示す複数の識別用データとに基づいて、前記対象データに含まれる符号が、前記複数の符号のいずれであるかを識別する符号識別手段と、
前記対象データに含まれる符号が識別されたときに、前記複数の識別用データそれぞれの値を変更する識別用データ変更手段と
を有する符号識別装置。
【請求項２】
前記対象データは、複数の通信方式のいずれかにより伝送され、前記複数の符号それぞれは、前記複数の通信方式のいずれかに対応して固有の値をとるユニークワードであり、前記複数の識別用データは、前記複数のユニークワードそれぞれを含む前記複数の対象データそれぞれから算出される複数の相関値の下限値、または、上限値および下限値を示し、
前記識別用データ変更手段は、前記対象データに含まれるユニークワードが識別されたときには、前記識別されたユニークワードに対して設定された第１の識別用データの範囲を広げ、前記識別されたユニークワード以外のユニークワードに対して設定された第１の識別用データの範囲を狭めるように変更して、複数の第２の識別用データとし、
前記符号識別手段は、前記複数の第１の識別用データまたは前記複数の第２の識別用データのいずれかが示す範囲内の相関値を与えるユニークワードを、前記対象データに含まれるユニークワードとして識別する
請求項１に記載の符号識別装置。
【請求項３】
前記伝送された対象データを、前記複数の通信方式のいずれかにより受信する受信手段と、
前記受信手段における通信方式を、前記識別されたユニークワードに対応する通信方式に切り替える切り替え手段と
をさらに有する請求項２に記載の符号識別装置。
【発明の詳細な説明】
【０００１】
【発明の属する技術分野】
本発明は、通信におけるユニークワードの識別などに用いられる符号識別装置に関する。
特に、本発明は、通信方式の切り替えのために用いられる符号識別装置に関する。
【０００２】
【従来の技術】
例えば、特許文献１〜３は、受信信号に含まれる符号の相関値を求める方法を開示する。
また、例えば、非特許文献１の２９８〜２９９ページには、ＴＤＭＡ方式の伝送フレームのプリアンブルに、ユニークワードを含めて伝送する方法が開示されている。
また、例えば、非特許文献２には、入力データとユニークワードとの相関値を求める方法が開示されている。
【０００３】
伝送フレーム中のユニークワードは、通信方式ごとに固有の値に設定されるので、ユニークワードを識別することにより、受信したデータが、いずれの通信方式により伝送されたかを識別することができる。
しかしながら、上記いずれの文献も、このような点に着目し、ユニークワードを識別することにより、通信方式を特定する方法を開示してはいない。
【０００４】
【特許文献１】特開平１１−１９６０２６号公報
【特許文献２】特開２００２−１４８３２６号公報
【特許文献２】特開平５−７１９５号公報
【非特許文献１】ディジタルワイヤレス伝送技術（三瓶政一著、（株）ピアソン・エデュケーション刊、２００２年９月１日初版第１刷発行、ＩＳＢＮ４−８９４７１−５６０−０）
【非特許文献２】ｈｔｔｐ：／／ｌｉｂ１．ｎｉｐｐｏｎ−ｆｏｕｎｄａｔｉｏｎ．ｏｒ．ｊｐ／１９９８／０４７８／ｃｏｎｔｅｎｔｓ／０７６．ｈｔｍ
【０００５】
【発明が解決しようとする課題】
本発明は、上述した背景からなされたものであり、伝送されたデータに、考え得る複数の符号のいずれが含まれていたとしても、正確にその符号を識別することができる符号識別装置を提供することを目的とする。
また、本発明は、どのような通信方式により伝送されたデータからも、それに付されたユニークワードを正確に識別することができる符号識別装置を提供することを目的とする。
【０００６】
【課題を解決するための手段】
上記目的を達成するために、本発明にかかる符号識別装置は、符号識別の対象となる対象データに含まれ、それぞれ固有の値をとる複数の符号のいずれかを検出する符号識別装置であって、前記複数の符号それぞれと、前記対象データとの相関を示す複数の相関値を算出する相関値算出手段と、前記算出された複数の相関値と、前記複数の符号それぞれに対して設定され、前記複数の符号それぞれを含む前記複数の対象データそれぞれから算出される複数の相関値がとるべき値の範囲を示す複数の識別用データとに基づいて、前記対象データに含まれる符号が、前記複数の符号のいずれであるかを識別する符号識別手段と、前記対象データに含まれる符号が識別されたときに、前記複数の識別用データそれぞれの値を変更する識別用データ変更手段とを有する。
【０００７】
好適には、前記対象データは、複数の通信方式のいずれかにより伝送され、前記複数の符号それぞれは、前記複数の通信方式のいずれかに対応して固有の値をとるユニークワードであり、前記複数の識別用データは、前記複数のユニークワードそれぞれを含む前記複数の対象データそれぞれから算出される複数の相関値の下限値、または、上限値および下限値を示し、前記識別用データ変更手段は、前記対象データに含まれるユニークワードが識別されたときには、前記識別されたユニークワードに対して設定された第１の識別用データの範囲を広げ、前記識別されたユニークワード以外のユニークワードに対して設定された第１の識別用データの範囲を狭めるように変更して、複数の第２の識別用データとし、前記符号識別手段は、前記複数の第１の識別用データまたは前記複数の第２の識別用データのいずれかが示す範囲内の相関値を与えるユニークワードを、前記対象データに含まれるユニークワードとして識別する。
【０００８】
好適には、前記伝送された対象データを、前記複数の通信方式のいずれかにより受信する受信手段と、前記受信手段における通信方式を、前記識別されたユニークワードに対応する通信方式に切り替える切り替え手段とをさらに有する。
【０００９】
【発明の実施の形態】
［第１実施形態］
以下、本発明の第１の実施形態を説明する。
図１は、本発明にかかる符号識別が適応される無線通信システム１の構成を例示する図である。
図１に示すように、無線通信システム１は、それぞれ異なった情報伝送レート（通信方式）Ａ〜Ｎによりデータの送信を行う複数の送信装置２−Ａ〜２−Ｎと、送信装置２−Ａ〜２−Ｎのいずれからもデータを受信しうる受信装置３とから構成される。
なお、図１においては、受信装置３が、送信装置２−Ｂからのデータを受信している場合が、これらの間の実線により例示されている。
【００１０】
［送信装置２］
以下、送信装置２−Ａ〜２−Ｎなど、複数ある構成部分のいずれかを、特定せずに示す場合には、単に送信装置２と記載することがある。
図２は、図１に示した送信装置２の構成を示す図である。
図２に示すように、送信装置２は、符号化回路２００、多重化回路２０２、タイミング回路２０４、ユニークワード発生回路２０６、変調回路２０８および送信回路２１０から構成される。
これらの送信装置２の各構成部分の機能は、適宜、ハードウェア的にも、ソフトウェア的にも実現されうる。
送信装置２−Ａ〜２−Ｎ（図１）それぞれは、これらの構成部分により、コンピュータ（図示せず）などの外部装置から入力される伝送データを、それぞれ固有の情報伝送レートＡ〜Ｎにより、無線通信回線を介して、受信装置３に対して送信する。
【００１１】
タイミング回路２０４は、伝送データの符号化、および、伝送データおよびプリアンブルの多重化などのタイミングを規定するフレーム信号を発生し、送信装置２の各構成部分に対して出力する。
送信装置２−Ａ〜２−Ｎそれぞれにおいて、符号化回路２００は、外部から入力される伝送データに対して、情報伝送レートＡ〜Ｎそれぞれに従った符号化を行い、多重化回路２０２に対して出力する。
ユニークワード発生回路２０６は、情報伝送レートＡ〜Ｎそれぞれで固有な値をとるユニークワードを発生し、多重化回路２０２に対して出力する。
【００１２】
図３は、図２に示した送信装置２において用いられる伝送フレームを例示する図である。
送信装置２−Ａ〜２−Ｎそれぞれにおいて、多重化回路２０２は、情報伝送レートＡ〜Ｎそれぞれに従って、符号化回路２００から入力された伝送データを分割し、図３に例示する伝送フレーム、１つ以上の中に収容する。
さらに、多重化回路２０２は、ユニークワード発生回路２０６から入力された情報伝送レートＡ〜Ｎそれぞれに固有のユニークワードを、図３に例示する伝送フレームそれぞれのプリアンブル部分に収容し、送信データを生成する。
【００１３】
変調回路２０８は、多重化回路２０２から入力される送信データにより、搬送波信号を、例えば１６ＱＡＭ・ＱＰＳＫ・ＢＰＳＫなどの変調方式により変調してＩＦ信号とし、送信回路２１０に対して出力する。
送信回路２１０は、変調回路２０８から入力されるＩＦ信号の周波数を、無線通信回線の周波数に変換し、さらに、電力増幅して、伝送信号として無線通信回線に対して送信する。
【００１４】
［受信装置３］
図４は、図１に示した受信装置３の構成を示す図である。
図４に示すように、受信装置３は、受信回路３００、復調部３０２、方式選定部３２、タイミング発生部３０４、データ分離部３０６およびデータ復号部３０８から構成される。
なお、図４においては、図示の簡略化のために、データの流れは適宜、省略されている。
以下、受信装置３の内、受信回路３以外の各構成部分が、ＤＳＰ回路上で動作するソフトウェアにより実現される場合を具体例とする。
このＤＳＰ回路は、例えば、ディジタルシグナルプロセッサ（ＤＳＰ）、ＩＦ信号をデジタル形式のＩＦデータに変換するＡ／Ｄ変換回路、ＲＯＭ、ＲＡＭおよびこれらの周辺回路（いずれも図示せず）などから構成される。
受信装置３は、これらの構成部分により、送信装置２−Ａ〜２−Ｎのいずれか（送信装置２−ｉ；ｉはＡ〜Ｎのいずれか）から、無線通信回線を介して受信した伝送信号から伝送データを復元し、コンピュータなどの外部装置（図示せず）に対して出力する。
【００１５】
受信回路３００は、送信装置２−ｉ（図１，図２）からの伝送信号を、無線通信回線を介して受信し、増幅および周波数変換などを行い、ＤＳＰ回路におけるＡ／Ｄ変換が可能な周波数の中間周波信号（ＩＦ信号）として、ＤＳＰ回路に対して出力する。
なお、受信回路３００において、自動利得調整（ＡＧＣ）がされると、ＩＦ信号の強度および相関値（後述）が、受信される伝送信号の強度の影響を受けにくなる。
ＤＳＰ回路（図４）のＡ／Ｄ変換回路（図示せず）は、ＩＦ信号をディジタル形式のＩＦデータに変換する。
【００１６】
方式選定部３２は、例えば、図５，図７を参照して後述する第１または第２の方式識別プログラム３４，３６であって、ＩＦデータに含まれている情報伝送レートＡ〜Ｎのいずれかに固有のユニークワードを識別する。
さらに、方式選択部３２は、ＩＦデータ（伝送信号）が、情報伝送レートＡ〜Ｎのいずれにより生成されたかを示す方式種別データを生成し、復調部３０２およびタイミング発生部３０４などに対して出力する。
【００１７】
［第１の方式識別プログラム３４］
図５は、図４に示した方式選定部３２として用いられ、ＩＦデータからユニークワードを識別する第１の方式識別プログラム３４の構成を示す図である。
図５に示すように、方式識別プログラム３４は、ユニークワード記憶部３４０、相関検出部３６、方式識別部３４２、閾値記憶部３４４および処理制御部３４６から構成され、例えば、ＲＯＭに記憶された状態で受信装置３のＤＳＰ回路（図４）に供給され、実行される。
方式識別プログラム３４は、これらの構成部分により、ＩＦデータ（伝送信号）に含まれるユニークワードを識別し、上述した方式種別データを生成する。
【００１８】
方式識別プログラム３４において、処理制御部３４６は、方式識別プログラム３４の各構成部分の処理を制御する。
ユニークワード記憶部３４０は、送信装置２−Ａ〜２−Ｎがデータ送信に用いる情報伝送レートＡ〜Ｎそれぞれに対応し、互いに直交するユニークワードＡ〜Ｎを記憶し、方式識別プログラム３４０に対して出力する。
【００１９】
相関検出部３６には、ＩＦデータおよびユニークワードが、Ｑ，Ｉのベクトル形式のデータとして入力される。
相関検出部３６は、上述のようにＩＦ信号がＡ／Ｄ変換されて得られたＩＦデータと、互いにＩＦ信号の搬送波の位相として９０°ずれた２つの搬送波データ（サンプリング周波数が搬送波周波数の４倍であれば、１，０，−１，０と０，１，０，−１でよい）それぞれとを乗算し、ＩデータおよびＱデータを得る。
【００２０】
さらに、相関検出部３６は、このＩデータおよびＱデータと、ユニークワードＡ〜ＮのＩ，Ｑ成分の共役を求め、これらを複素乗算する。
なお、ユニークワードがＢＰＳＫ復調可能である場合には、ユニークワードのＱ成分は０となる。
相関検出部３６は、このれら複素乗算結果それぞれを、ユニークワードのサンプル数だけ足し合わせ、相関値Ａ〜Ｎとする。
相関検出部３６は、このように得られた相関値Ａ〜Ｎを、方式識別部３４２に対して出力する。
【００２１】
閾値記憶部３４４（図５）は、ＩＦデータにユニークワードＡ〜Ｎのいずれが含まれていたかを識別するために用いる閾値Ａ〜Ｎを記憶し、方式識別部３４２に対して出力する。
なお、閾値Ａ〜Ｎの値は、すべて同一であっても、情報伝送レートＡ〜Ｎそれぞれに対して適切に選択される固有の値であってもよい。
【００２２】
方式識別部３４２は、相関検出部３６（図５）から入力される相関値Ａ〜Ｎそれぞれと、閾値記憶部３４４から入力される閾値Ａ〜Ｎそれぞれとを比較し、閾値ｉ（ｉはＡ〜Ｎのいずれか）よりも、これに対応する相関値ｉが大きい場合に、ＩＦデータに、ユニークワードｉが含まれていると識別する。
方式識別部３４２は、識別したユニークワードｉに対応する情報伝送レートｉを示す方式種別データを、復調部３０２、タイミング発生部３０４、データ分離部３０６およびデータ復号部３０８（図４）に対して出力する。
【００２３】
復調部３０２（図４）は、方式選定部３２（方式識別プログラム３４）から入力される方式種別データに従って、受信回路３００から入力されたＩＦデータを復調し、送信データに対応する受信データとする。
【００２４】
タイミング発生部３０４は、方式識別部３４２から入力される方式種別データに従って、復調されたＩＦデータに含まれるデータに同期するタイミングを生成し、データ分離部３０６およびデータ復号部３０８に対して出力する。
データ分離部３０６は、方式種別データ、および、タイミング発生部３０４が示すタイミングに従って、復調されたＩＦデータに含まれるデータを分離する。
データ復号部３０８は、方式種別データおよびタイミング発生部３０４が示すタイミングに従って、分離されたデータを復号し、伝送データとする。
【００２５】
［全体動作］
以下、第１の方式識別プログラム３４が、受信装置３（図１）の方式選択部３２（図４）として用いられる場合の無線通信システム１の全体動作を説明する。
なお、以下、説明の明確化・簡略化のために、受信装置３が、送信装置２−Ａからの伝送信号を受信した場合を具体例とするが、無線通信システム１の動作および本発明の技術範囲は、この具体例に限定されるものではない。
【００２６】
送信装置２−Ａ〜２−Ｎ（図１，図２）それぞれは、ユニークワードＡ〜Ｎそれぞれを伝送フレーム（図３）のプリアンブルに含む伝送データを生成する。
さらに、送信装置２−Ａ〜２−Ｎそれぞれは、生成した伝送データから伝送信号を生成し、無線通信回線に対して送信する。
【００２７】
受信装置３の受信回路３００（図４）は、送信装置２−Ａからの伝送信号を受信し、ＩＦ信号としてＤＳＰ回路に対して出力する。
ＤＳＰ回路（図４）は、第１の方式識別プログラム３４（図５）を実行し、ＤＳＰ回路のＡ／Ｄ変換回路（図示せず）は、受信回路３００から入力されるＩＦ信号をデジタル形式に変換してＩＦデータとし、相関検出部３６に対して出力する。
【００２８】
方式識別プログラム３４の相関検出部３６（図５）は、ＩＦデータと、ユニークワード記憶部３４０から入力されるユニークワードＡ〜Ｎそれぞれとの相関を示す相関値Ａ〜Ｎを生成し、方式識別部３４２に対して出力する。
方式識別部３４２は、閾値記憶部３４４から入力される閾値Ａ〜Ｎと、相関値Ａ〜Ｎとを比較し、ＩＦデータに、閾値Ａより大きい値を示す相関値Ａに対応するユニークワードＡが含まれていたと判断し、このユニークワードＡに対応する情報伝送レートＡを示す方式種別データを、復調部３０２およびタイミング発生部３０４に対して出力する。
【００２９】
復調部３０２は、方式種別データは、方式識別プログラム３４から入力される方式種別データに従ってＩＦデータを復調し、受信データとする。
タイミング発生部（図４）３０４は、方式識別部３４２（図５）から入力される方式種別データＡが示す情報伝送レートＡに適合するタイミングを発生し、データ分離部３０６およびデータ復号部３０８に対して出力する。
【００３０】
データ分離部３０６は、情報伝送レートＡに適合し、送信装置２−Ａの多重化回路２０２に対応する処理を行って、伝送フレーム（図３）から伝送データを分離し、データ復号部３０８に対して出力する。
データ復号部３０８は、情報伝送レートＡに適合し、送信装置２−Ａの符号化回路２００に対応する処理を行って、伝送データを復号する。
データ復号部３０８は、復号の結果として得られた伝送データを、外部装置などに対して出力する。
【００３１】
［第２実施形態］
以下、本発明の第２の実施形態を説明する。
図６は、図５に示した第１の方式識別プログラム３４が適応された受信装置３の動作を例示する図であって、（Ａ）は、図３に示した伝送フレームのタイミングを示し、（Ｂ）〜（Ｄ）は、相関値Ａ，Ｂ，Ｎを示し、（Ｅ）は識別されたユニークワード（方式種別データ）を示す。
例えば、上述のように、方式識別プログラム３４が、ＩＦデータからユニークワードＡを識別しているときに、何らかの理由で、図６に符号ａを付して示すタイミングａで、相関値Ａ（図６（Ｂ））が閾値Ａを下回り、相関値Ｂ（図６（Ｃ））が、閾値Ｂを上回ってしまうことがあり得る。
【００３２】
この場合には、方式識別プログラム３４は、タイミングａから、再び相関値Ａが閾値Ａを上回り、かつ、相関値Ｂが閾値Ｂを下回るまで、図６（Ｅ）に示すように、受信データからユニークワードＢを誤って検出してしまうことになる。
このように、ノイズなどの影響を受けて、受信データから誤ったユニークワードを検出してしまうと、データ分離部３０６およびデータ復号部３０８（図４）も誤動作してしまう。
以下に示す第２の方式識別プログラム３８は、このような第１の方式識別プログラム３４の不具合を解消したものである。
【００３３】
［方式識別プログラム３８］
図７は、第１の方式識別プログラム３４（図５）の代わりに実行され、ＩＦデータからユニークワードを識別する第２の方式識別プログラム３８の構成を示す図である。
なお、図７においては、第２の方式識別プログラム３８の構成部分の内、第１の方式識別プログラム３４の構成部分と実質的に同一のものには、同一の符号化付してある。
図７に示すように、第２の方式識別プログラム３８は、第１の方式識別プログラム３４の閾値記憶部３４４と方式識別部３４２との間に、閾値変更部３８０が追加された構成をとる。
【００３４】
閾値変更部３８０は、方式識別部３４２の識別結果に応じて、閾値記憶部３４４から入力される閾値Ａ〜Ｎを変更し、変更された閾値Ａ’〜Ｎ’として、方式識別部３４２に対して出力する。
閾値変更部３８０は、方式識別部３４２が、受信データからユニークワードＡを検出し、送信装置２−Ａの情報伝送レートＡを示す方式種別データＡを出力している場合に、閾値記憶部３４４から入力される閾値Ａの値を小さくし、これ以外の閾値ｊ（ｊ＝Ｂ〜Ｎ）の値を大きくし、方式識別部３４２に対して出力する。
閾値変更部３８０による閾値変更のステップをどのようにするかについては、ステップを、相関値の最大値の単純な整数分の１、あるいは、相関値の最大値の対数値の整数分の１とするなど、種々の態様がありうる。
【００３５】
図８は、図７に示した第２の方式識別プログラム３８が適応された受信装置３の動作を例示する第１の図であって、（Ａ）は、図３に示した伝送フレームのタイミングを示し、（Ｂ）〜（Ｄ）は、相関値Ａ，Ｂ，Ｎを示し、（Ｅ）は識別されたユニークワード（方式種別データ）を示す。
つまり、図８（Ｂ）〜（Ｄ）に例示するように、閾値変更部３８０は、図８に符号ｂを付して示すタイミングｂにおいて、方式識別部３４２が受信データからユニークワードＡを識別すると、閾値記憶部３４４から入力される閾値Ａの値を、９から７に小さくする変更を行い、これ以外の閾値Ｂ〜Ｎの値を、８から１０に大きくする変更を行って、方式識別部３４２に対して出力する。
【００３６】
なお、ここまで、相関値の下限値を示す閾値Ａ〜Ｎだけを設ける場合を示したが、さらに、相関値の上限値を示す閾値Ａ”〜Ｎ”を設け、相関値が、閾値ｉ（ｉ＝Ａ〜Ｎ）の範囲内にあるときに、ユニークワードｉが検出されるようにしてもよい。
また、閾値変更部３８０による閾値Ａ〜Ｎに対する変更は、閾値Ａ〜Ｎそれぞれの上限値および下限値（いずれかでもよい）、あるいは、閾値Ａ〜Ｎに共通の上限値および下限値（いずれかでもよい）を設定して、ユニークワードの識別に悪影響を与えない最適な範囲内において行われるようにするとよい。
なお、上記下限値および上限値としては、例えば、正常に識別された過去数回分の相関（ピーク）値の平均値に、所定の係数を乗算した値が定期的に設定されても、実験などで求められた固定値が設定されてもよい。
また、このような場合には、閾値変更部３８０が、ユニークワードＡに対応する閾値Ａの値を大きくするのみで、他の閾値Ｂ〜Ｎの値を変更しないようにしたり、あるいはこの逆に、ユニークワードＡに対応する閾値Ａの値を変更せず、他の閾値Ｂ〜Ｎの値を小さくするのみであったりしてもよい。
【００３７】
［全体動作］
以下、第２の方式識別プログラム３８が受信装置３に適応された場合の無線通信システム１の全体動作を説明する。
なお、以下、説明の明確化・簡略化のために、受信装置３が、送信装置２−Ａからの伝送信号を受信した場合を具体例とするが、無線通信システム１の動作および本発明の技術範囲は、この具体例に限定されるものではない。
【００３８】
上述のように、送信装置２−Ａ〜２−Ｎ（図１，図２）それぞれは、ユニークワードＡ〜Ｎそれぞれを伝送フレーム（図３）のプリアンブルに含む伝送データを生成する。
さらに、送信装置２−Ａ〜２−Ｎそれぞれは、生成した伝送データから伝送信号を生成し、無線通信回線に対して送信する。
【００３９】
受信装置３の受信回路３００（図４）は、送信装置２−Ａからの伝送信号を受信し、ＩＦ信号としてＤＳＰ回路に対して出力する。
ＤＳＰ回路は、図７に示した第２の方式識別プログラム３８を実行し、また、ＤＳＰ回路のＡ／Ｄ変換回路（図示せず）は、受信回路３００から入力されたＩＦ信号を、ディジタル形式のＩＦデータに変換する。
【００４０】
図９は、図７に示した第２の方式識別プログラム３８が適応された受信装置３の動作（Ｓ１０）を示すフローチャートである。
図９に示すように、ステップ１００（Ｓ１００）において、方式識別プログラム３８（図７）の閾値変更部３８０は、閾値記憶部３４４に記憶された閾値Ａ〜Ｎを読み出し、変更せずに方式識別部３４２に対して出力する。
【００４１】
ステップ１０２（Ｓ１０２）において、処理制御部３４６（図７）は、相関検出部３６に、ＩＦデータを受け入れさせる。
【００４２】
ステップ１０４（Ｓ１０４）において、処理制御部３４６（図７）は、復調部３０２から入力されるＩＦデータが正常であるか否かを判断する。
方式識別プログラム３８は、ＩＦデータが正常である場合にはＳ１０６の処理に進み、これ以外の場合にはＳ１１８の処理に進む。
【００４３】
ステップ１０６（Ｓ１０６）において、相関検出部３６（図７）は、ＩＦデータと、ユニークワード記憶部３４０から入力されるユニークワードＡ〜Ｎそれぞれとの相関を示す相関値Ａ〜Ｎを生成し、方式識別部３４２に対して出力する。
【００４４】
ステップ１０８（Ｓ１０８）において、方式識別部３４２（図７）は、相関値Ａ〜Ｎと、Ｓ１００の処理において閾値変更部３８０から入力される閾値Ａ〜Ｎ、または、Ｓ１１４，Ｓ１１６の処理において変更された閾値Ａ’〜Ｎ’とを比較し、受信データにユニークワードＡ〜Ｎのいずれが含まれているかを識別する。
【００４５】
ステップ１１０（Ｓ１１０）において、処理制御部３４６（図７）は、図８に示すタイミングｂで、方式識別部３４２が、受信データからユニークワードＡ〜Ｎのいずれかを識別できたか否かを判断する。
相関検出部３６は、方式識別部３４２がユニークワードを識別できた場合にはＳ１１２の処理に進み、これ以外の場合にはＳ１１８の処理に進む。
【００４６】
ステップ１１２（Ｓ１１２）において、方式識別部３４２（図７）は、図８（Ｅ）に示すように、タイミングｂで、識別結果に基づいて、識別したユニークワードに対応する情報伝送レートを示す方式種別データを生成し、出力する。
【００４７】
ステップ１１４（Ｓ１１４）において、閾値変更部３８０（図７）は、方式識別部３４２により識別されたユニークワードに対応する閾値を下げ、そのユニークワードを検出する範囲を広くする。
但し、下限値が設定されているときには、閾値は、下限値以下の値に設定されることはない。
【００４８】
ステップ１１６（Ｓ１１６）において、閾値変更部３８０は、方式識別部３４２により識別されたユニークワード以外のユニークワードに対応する閾値を上げ、そのユニークワードを検出する範囲を狭くする。
Ｓ１１４およびＳ１１６の処理により値が変更された閾値Ａ〜Ｎは、図８（Ｂ）〜（Ｄ）に示すタイミングｂで、閾値Ａ’〜Ｎ’として方式識別部３４２に対して出力される。
但し、上限値が設定されているときには、閾値は、上限値以上の値に設定されることはない。
【００４９】
ステップ１１８（Ｓ１１８）において、処理制御部３４６は、例えば、一定時間以上、ＩＦデータが入力されない、あるいは、一定時間以上、正常にユニークワードが識別できないなど、例外処理開始の条件が満たされているか否かを判断する。
方式識別プログラム３８は、例外処理を開始すべき場合にはＳ１２０の処理に進み、これ以外の場合にはＳ１０２の処理に戻る。
【００５０】
ステップ１２０（Ｓ１２０）において、処理制御部３４６は、例外処理を行い、方式識別プログラム３８は、Ｓ１００の処理に返る。
【００５１】
上述したように、タイミング発生部（図４）３０４は、方式識別部３４２（図５）から入力される方式種別データＡが示す情報伝送レートＡのデータに対する処理に適合するタイミングを生成し、データ分離部３０６およびデータ復号部３０８に対して出力する。
データ分離部３０６は、情報伝送レートＡに適合し、送信装置２−Ａの多重化回路２０２に対応する処理を行って、伝送フレーム（図３）から伝送データを分離し、データ復号部３０８に対して出力する。
データ復号部３０８は、情報伝送レートＡに適合し、送信装置２−Ａの符号化回路２００に対応する処理を行って、伝送データを復号する。
データ復号部３０８は、復号の結果として得られた伝送データを、外部装置（図示せず）などに対して出力する。
【００５２】
図１０は、図７に示した第２の方式識別プログラム３８が適応された受信装置３の動作を例示する第２の図であって、（Ａ）は、図３に示した伝送フレームのタイミングを示し、（Ｂ）〜（Ｄ）は、相関値Ａ，Ｂ，Ｎを示し、（Ｅ）は識別されたユニークワード（方式種別データ）を示す。
ここでは、閾値Ａ〜Ｎの値は、閾値可変範囲の上限値または下限値で、一定になっている。
閾値Ａ〜Ｎに対する変更を行わない第１の方式識別プログラム３４を適応した受信装置３においては、図６に示すタイミングａで、相関値Ａ（図６（Ｂ））が閾値Ａを下回り、相関値Ｂ（図６（Ｃ））が、閾値Ｂを上回ってしまい、この結果、受信データからユニークワードＢが誤検出されてしまう。
これに対し、図９に示すように、第２の方式識別プログラム３４を適応した受信装置３においては、図６に示した例と同程度の外乱を受けたとしても、受信データからユニークワードＢが誤検出されることはなく、受信装置３の動作が安定することがわかる。
【００５３】
【発明の効果】
以上説明したように、本発明にかかる符号識別装置によれば、伝送されたデータに、考え得る複数の符号のいずれが含まれていたとしても、正確にその符号を識別することができる。
また、本発明にかかる符号識別装置によれば、どのような情報伝送レートにより伝送されたデータからも、それに付されたユニークワードを正確に識別することができる。
【図面の簡単な説明】
【図１】本発明にかかる符号識別が適応される無線通信システムの構成を例示する図である。
【図２】図１に示した送信装置の構成を示す図である。
【図３】図２に示した送信装置において用いられる伝送フレームを例示する図である。
【図４】図１に示した受信装置の構成を示す図である。
【図５】図４に示した方式選定部として用いられ、受信データからユニークワードを識別する第１の方式識別プログラムの構成を示す図である。
【図６】図６は、図５に示した第１の方式識別プログラム３４が適応された受信装置３の動作を例示する図であって、（Ａ）は、図３に示した伝送フレームのタイミングを示し、（Ｂ）〜（Ｄ）は、相関値Ａ，Ｂ，Ｎを示し、（Ｅ）は識別されたユニークワード（方式種別データ）を示す。
【図７】第１の方式識別プログラム（図５）の代わりに実行され、ＩＦデータからユニークワードを識別する第２の方式識別プログラムの構成を示す図である。
【図８】図７に示した第２の方式識別プログラムが適応された受信装置の動作を例示する第１の図であって、（Ａ）は、図３に示した伝送フレームのタイミングを示し、（Ｂ）〜（Ｄ）は、相関値Ａ，Ｂ，Ｎを示し、（Ｅ）は識別されたユニークワード（方式種別データ）を示す。
【図９】図７に示した第２の方式識別プログラムが適応された受信装置の動作（Ｓ１０）を示すフローチャートである。
【図１０】図７に示した第２の方式識別プログラムが適応された受信装置の動作を例示する第２の図であって、（Ａ）は、図３に示した伝送フレームのタイミングを示し、（Ｂ）〜（Ｄ）は、相関値Ａ，Ｂ，Ｎを示し、（Ｅ）は識別されたユニークワード（方式種別データ）を示す。
【符号の説明】
１・・・無線通信システム、
２・・・送信装置、
２００・・・符号化回路、
２０２・・・多重化回路、
２０４・・・タイミング回路、
２０６・・・ユニークワード発生回路、
２０８・・・変調回路、
２１０・・・送信回路、
３・・・受信装置、
３００・・・受信回路、
３０２・・・復調部、
３０４・・・タイミング発生部、
３０６・・・データ分離部、
３０８・・・データ復号部、
３２・・・方式選定部
３４，３８・・・方式識別プログラム、
３４０・・・ユニークワード記憶部、
３４２・・・方式識別部、
３４４・・・閾値記憶部、
３４６・・・処理制御部、
３６・・・相関検出部、
３８０・・・閾値変更部、
【図１】
2004274536.tif 000003
【図２】
2004274536.tif 000004
【図３】
2004274536.tif 000005
【図４】
2004274536.tif 000006
【図５】
2004274536.tif 000007
【図６】
2004274536.tif 000008
【図７】
2004274536.tif 000009
【図８】
2004274536.tif 000010
【図９】
2004274536.tif 000011
【図１０】
2004274536.tif 000012